(57)【要約】【課題】  構造が簡単で低コストな空気式放射ユニットを得る。【解決手段】  空調用空気が流れる第１チャンバ部（１）と、第１チャンバ部（１）から入った空調用空気を被空調空間（Ｓ）に出しつつ放射する第２チャンバ部（２）と、を備える。第１チャンバ（１）部が、第２チャンバ部（２）に接して第２チャンバ部（２）に空調用空気を出す第１通気部（４）を、備える。第２チャンバ部（２）が、被空調空間（Ｓ）に接して被空調空間（Ｓ）に空調用空気を出す第２通気部（５）を、備える。第１チャンバ部（１）の空調用空気の気流通過断面積を、空調用空気の風上側から風下側に向かって順次狭める。【選択図】図３
2019174065.tif 000002
【特許請求の範囲】
【請求項１】
空調用空気が流れる第１チャンバ部（１）と、前記第１チャンバ部（１）から入った前記空調用空気を被空調空間（Ｓ）に出しつつ放射する第２チャンバ部（２）と、を備え、
前記第１チャンバ（１）部が、前記第２チャンバ部（２）に接して前記第２チャンバ部（２）に前記空調用空気を出す第１通気部（４）を、備え、
前記第２チャンバ部（２）が、前記被空調空間（Ｓ）に接して前記被空調空間（Ｓ）に前記空調用空気を出す第２通気部（５）を、備え、
前記第１チャンバ部（１）の前記空調用空気の気流通過断面積を、前記空調用空気の風上側から風下側に向かって順次狭めたことを特徴とする空気式放射ユニット。
【請求項２】
第２通気部（５）が、第２チャンバ部（２）から被空調空間（Ｓ）に空調用空気を出す第２貫孔（９）を多数備えた請求項１に記載の空気式放射ユニット。
【請求項３】
第２チャンバ部（２）が蓄熱部（６）を備え、前記蓄熱部（６）が、空調用空気の熱を蓄めて放射するプレート（１０）を、第１通気部（４）の第１貫孔（８）を通った前記空調用空気の流れる方向に沿って隙間があくように、互いに間を隔てて配置して成る請求項１又は２に記載の空気式放射ユニット。
【請求項４】
第１チャンバ部（１）と第２チャンバ部（２）を扁平形状に形成し、前記扁平の方向に隣り合わせて前記第１チャンバ部（１）と前記第２チャンバ部（２）を設けた請求項１から３のいずれかに記載の空気式放射ユニット。
【請求項５】
第２チャンバ部（２）の第２通気部（５）を波板形状に形成した請求項１から４のいずれかに記載の空気式放射ユニット。
【発明の詳細な説明】
【技術分野】
【０００１】
本発明は空気式放射ユニットに関するものである。
【背景技術】
【０００２】
特開２０１１−２１８０８号公報に示す放射ユニットは、外部から送り込まれた供給空気が噴流するように設けられた空気供給部と、空気供給部から出た噴流空気の誘引作用にて被空調空間の空気を引き込むように設けられた空気誘引部と、空気供給部の噴流空気と空気誘引部の誘引空気との混合空気を被空調空間へ放出しかつ混合空気の熱を被空調空間へ放射するように設けられた空気混合部と、を備えている。この構造で生じる放射作用と誘引再熱作用にて、ドラフト感や温度ムラのない快適空調を行える。
【先行技術文献】
【特許文献】
【０００３】
【特許文献１】特開２０１１−２１８０８号公報
【発明の概要】
【発明が解決しようとする課題】
【０００４】
このように放射ユニットは快適空間をつくる一助となっているが、構造が複雑でコスト高となる問題があった。
【課題を解決するための手段】
【０００５】
本発明は上記課題を解決するため、空調用空気が流れる第１チャンバ部と、前記第１チャンバ部から入った前記空調用空気を被空調空間に出しつつ放射する第２チャンバ部と、を備え、前記第１チャンバ部が、前記第２チャンバ部に接して前記第２チャンバ部に前記空調用空気を出す第１通気部を、備え、前記第１チャンバ部の前記空調用空気の気流通過断面積を、前記空調用空気の風上側から風下側に向かって順次狭めたことを最も主要な特徴とする。
【発明の効果】
【０００６】
請求項１の発明によれば、第１チャンバ部が風上側から風下側に向かって順次狭めてあるので、空調用空気の風速が風上側から風下側に向かって高まって、第１チャンバ部と第２チャンバ部の空間全体に空調用空気を行き渡らせることができる。そのため、被空調空間への空調用空気の放出と放射を均等化でき、ドラフト感や温度ムラのない快適空調を行える。
請求項２の発明によれば、第１チャンバ部を狭めて第２チャンバ部に貫孔を形成する簡単な構造なのでコストダウンでき、剛性を高めながら軽量化を図れて施工やメンテナンスが容易となる。
請求項３の発明によれば、蓄熱部を、空調用空気の蓄熱と整流に兼用でき、熱放射能力が向上し風量ムラと温度ムラを確実に減らせる。
請求項４の発明によれば、全体が扁平形状なので懐の狭い天井にも容易に設置でき、施工やメンテナンスが一層容易となる。
請求項５の発明によれば、第２通気部が波板形状なので放射面積が拡大し、放射能力の向上を一層図れる。
【図面の簡単な説明】
【０００７】
【図１】本発明の空気式放射ユニットを底面側から見た斜視図である。
【図２】図１の底面図である。（実施例１）
【図３】図２のＡ−Ａ断面図である。
【図４】図２のＢ−Ｂ断面図である。
【図５】図４のＣ−Ｃ断面図である。
【図６】他の空気式放射ユニットの底面図である。（実施例２）
【図７】図６のＤ−Ｄ断面図である。
【発明を実施するための形態】
【実施例１】
【０００８】
図１から図５は、本発明の空気式放射ユニットを示している。この空気式放射ユニットは、空調用空気が流れる第１チャンバ部１と、第１チャンバ部１から入った空調用空気を室内などの被空調空間Ｓに出しつつ放射する第２チャンバ部２と、を備えている。各図の太い点線の矢印は空調用空気の流れる方向を示す。
【０００９】
第１チャンバ部１は、空調用空気が入る空気入口部３と、第２チャンバ部２に接して第２チャンバ部２の内部空間に空調用空気を出す平板形状の第１通気部４と、を備えている。第２チャンバ部２は、被空調空間Ｓに接して被空調空間Ｓに空調用空気を出す平板形状の第２通気部５と、蓄熱部６と、第２通気部５及び蓄熱部６を取付ける鍔付の枠体７と、を備えている。
【００１０】
この第２通気部５が被空調空間Ｓに向くようにして、被空調空間Ｓの天井等に空気式放射ユニットを設置する。空気入口部３は、ダクト１１を介して図示省略の空調機の吹出口に接続され、空調機から第１チャンバ部１の内部空間に空調用空気が供給される。
【００１１】
第１チャンバ部１と第２チャンバ部２は扁平形状に形成し、前記扁平の方向に隣り合わせて第１チャンバ部１と第２チャンバ部２を設ける。図例では、第１チャンバ部１と第２チャンバ部２は長方形の扁平形状としたが細長、真四角、丸など各種の扁平形状に変更するも自由である。
【００１２】
第１チャンバ部１の空調用空気の気流通過断面積（図２のＢ−Ｂと平行な断面の面積）は、空調用空気の風上側から風下側に向かって順次狭まるように設定する。図例では、第１チャンバ部１の外面と内面を両方傾斜させて狭めているが、外面を傾斜させず内面のみを傾斜させて狭めてもよい。
【００１３】
第１通気部４は、第１チャンバ部１から第２チャンバ部２に空調用空気を出す第１貫孔８を備える。図例では第１貫孔８と第１貫孔８の間の仕切部をリブに兼用して剛性を高めている。第２通気部５は、第２チャンバ部２から被空調空間Ｓに空調用空気を出す第２貫孔９を、所定開口率となるように多数備える。第２通気部５の開口率は、例えば７０〜８０％に設定する。第１貫孔８と第２貫孔９は、真円、楕円、長穴、細溝など各種形状への変更、数や寸法の変更は自由である。
【００１４】
蓄熱部６は、空調用空気の熱を蓄めて放射するプレート１０を、第１通気部４の第１貫孔８を通った空調用空気の流れる方向に沿って隙間があくように、互いに間を隔てて配置して構成する。プレート１０と第２通気部５は、熱伝達及び熱放射率が高いアルミ等を用いる。
【００１５】
このプレート１０を空調用空気が分流拡散しながら整流状に通過して第２通気部５の第２貫孔９から被空調空間Ｓへ出る。空調用空気の熱はプレート１０と第２通気部５に熱伝達し、第２貫孔９と第２通気部５から被空調空間Ｓへ放射される。
【実施例２】
【００１６】
図６と図７は、実施例１の第２チャンバ部２において、第２貫孔９を多数備えた第２通気部５を、波板形状に形成したものである。なお、波板形状の傾斜角度や高さ、凹凸の数の変更は自由である。その他の構成は図１の実施例と同様であるので説明を省略する。
【符号の説明】
【００１７】
１  第１チャンバ部
２  第２チャンバ部
４  第１通気部
５  第２通気部
６  蓄熱部
９  第２貫孔
１０  プレート
Ｓ  被空調空間
【図１】
2019174065.tif 000003
【図２】
2019174065.tif 000004
【図３】
2019174065.tif 000005
【図４】
2019174065.tif 000006
【図５】
2019174065.tif 000007
【図６】
2019174065.tif 000008
【図７】
2019174065.tif 000009
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
長方形の扁平形状であってその長辺方向に空調用空気が流れる第１チャンバ部（１）と、長方形の扁平形状であって前記扁平の方向に前記第１チャンバ部（１）を重ねるように隣り合わせて設けた第２チャンバ部（２）と、を備え、
前記第１チャンバ（１）部が、前記第２チャンバ部（２）に接して前記第２チャンバ部（２）に前記空調用空気を出す第１通気部（４）を、備え、
前記第２チャンバ部（２）が、前記被空調空間（Ｓ）に接して前記被空調空間（Ｓ）に前記空調用空気を出す第２通気部（５）と、蓄熱部（６）と、を備え、
前記第１チャンバ部（１）の短辺と平行な前記空調用空気の気流通過断面積を、前記長辺方向でかつ前記空調用空気の風上側から風下側に向かって順次狭め、
前記第１通気部（４）が、前記第１チャンバ部（１）から前記第２チャンバ部（２）に前記空調用空気を出す第１貫孔（８）を、備え、
前記第２通気部（５）が、前記第２チャンバ部（２）から前記被空調空間（Ｓ）に前記空調用空気を出す第２貫孔（９）を、多数備え、
前記蓄熱部（６）が、前記第１通気部（４）の前記第１貫孔（８）を通った前記空調用空気の流れる方向に沿って隙間があくように互いに間を隔てて配置されると共に前記隙間に前記空調用空気を分流拡散させながら整流状に通過させて前記第２通気部（５）の前記第２貫孔（９）から前記被空調空間（Ｓ）へ出させかつ前記空調用空気の熱を蓄めて前記第２通気部（５）に熱伝達させて前記第２貫孔（９）と前記第２通気部（５）から前記被空調空間（Ｓ）へ放射させるプレート（１０）を、備えたことを特徴とする空気式放射ユニット。
【請求項２】
第２チャンバ部（２）の第２通気部（５）を波板形状に形成した請求項１に記載の空気式放射ユニット。
【手続補正２】
【補正対象書類名】明細書
【補正対象項目名】０００５
【補正方法】変更
【補正の内容】
【０００５】
本発明は上記課題を解決するため、長方形の扁平形状であってその長辺方向に空調用空気が流れる第１チャンバ部と、長方形の扁平形状であって前記扁平の方向に前記第１チャンバ部を重ねるように隣り合わせて設けた第２チャンバ部と、を備え、前記第１チャンバ部が、前記第２チャンバ部に接して前記第２チャンバ部に前記空調用空気を出す第１通気部を、備え、前記第２チャンバ部が、前記被空調空間に接して前記被空調空間に前記空調用空気を出す第２通気部と、蓄熱部と、を備え、前記第１チャンバ部の短辺と平行な前記空調用空気の気流通過断面積を、前記長辺方向でかつ前記空調用空気の風上側から風下側に向かって順次狭め、前記第１通気部が、前記第１チャンバ部から前記第２チャンバ部に前記空調用空気を出す第１貫孔を、備え、前記第２通気部が、前記第２チャンバ部から前記被空調空間に前記空調用空気を出す第２貫孔を、多数備え、前記蓄熱部が、前記第１通気部の前記第１貫孔を通った前記空調用空気の流れる方向に沿って隙間があくように互いに間を隔てて配置されると共に前記隙間に前記空調用空気を分流拡散させながら整流状に通過させて前記第２通気部の前記第２貫孔から前記被空調空間へ出させかつ前記空調用空気の熱を蓄めて前記第２通気部に熱伝達させて前記第２貫孔と前記第２通気部から前記被空調空間へ放射させるプレートを、備えたことを最も主要な特徴とする。
【手続補正３】
【補正対象書類名】明細書
【補正対象項目名】０００６
【補正方法】変更
【補正の内容】
【０００６】
請求項１の発明によれば、第１チャンバ部が風上側から風下側に向かって順次狭めてあるので、空調用空気の風速が風上側から風下側に向かって高まって、第１チャンバ部と第２チャンバ部の空間全体に空調用空気を行き渡らせることができる。そのため、被空調空間への空調用空気の放出と放射を均等化でき、ドラフト感や温度ムラのない快適空調を行える。第１チャンバ部を狭めて第２チャンバ部に貫孔を形成する簡単な構造なのでコストダウンでき、剛性を高めながら軽量化を図れて施工やメンテナンスが容易となる。蓄熱部を、空調用空気の蓄熱と整流に兼用でき、熱放射能力が向上し風量ムラと温度ムラを確実に減らせる。全体が扁平形状なので懐の狭い天井にも容易に設置でき、施工やメンテナンスが一層容易となる。
請求項２の発明によれば、第２通気部が波板形状なので放射面積が拡大し、放射能力の向上を一層図れる。
【手続補正４】
【補正対象書類名】明細書
【補正対象項目名】００１１
【補正方法】変更
【補正の内容】
【００１１】
長方形の扁平形状であってその長辺方向に空調用空気が流れる第１チャンバ部１と、長方形の扁平形状の第２チャンバ部と、を前記扁平の方向に重ねるように隣り合わせて設ける。図例では、第１チャンバ部１と第２チャンバ部２は長方形の扁平形状としたが細長、真四角、丸など各種の扁平形状に変更するも自由である。
【手続補正５】
【補正対象書類名】明細書
【補正対象項目名】００１２
【補正方法】変更
【補正の内容】
【００１２】
第１チャンバ部１の短辺と平行な空調用空気の気流通過断面積（図２のＢ−Ｂと平行な断面の面積）は、長辺方向でかつ空調用空気の風上側から風下側に向かって順次狭まるように設定する。図例では、第１チャンバ部１の外面と内面を両方傾斜させて狭めているが、外面を傾斜させず内面のみを傾斜させて狭めてもよい。